【手続補正書】
【提出日】平成16年12月6日(2004.12.6)
【手続補正１】
【補正対象書類名】明細書
【補正対象項目名】発明の名称
【補正方法】変更
【補正の内容】
【発明の名称】複数の画像の一つを選択するための選択方法、画像通信装置、プログラム、及び、記憶媒体
【手続補正２】
【補正対象書類名】明細書
【補正対象項目名】特許請求の範囲
【補正方法】変更
【補正の内容】
【特許請求の範囲】
【請求項１】
画像通信装置に装着される記憶媒体に記憶された複数の画像の一つを外部機器から選択するための選択方法において、
前記画像通信装置は、所定枚数の画像を所定の位置に配置して一枚のインデックス画像を生成し、
前記所定枚数の画像の夫々のファイル名と、前記所定の位置に配置した前記所定枚数の画像の夫々に割り当てられる番号との関連を記載した画像データファイル名参照用ファイルを前記記憶媒体に保存し、
前記外部機器においてインデックス画像に含まれる画像から前記番号で選択された画像のファイル名を、前記画像データファイル名参照用ファイルを参照して、取得し、
取得したファイル名の画像を取得することを特徴とする選択方法。
【請求項２】
前記インデックス画像生成ステップは、所定枚の画像が撮影される毎に、インデックス画像を生成することを特徴とする請求項１に記載の選択方法。
【請求項３】
前記インデックス画像生成ステップは、サムネイル画像サイズ内に配置できるサイズに所定枚の画像を縮小することを特徴とする請求項１に記載の選択方法。
【請求項４】
複数の画像を記憶する記憶媒体を装着する装着手段と、
前記画像通信装置は、所定枚数の画像を所定の位置に配置して一枚のインデックス画像を生成する生成手段と、
前記所定枚数の画像の夫々のファイル名と、前記所定の位置に配置した前記所定枚数の画像の夫々に割り当てられる番号との関連を記載した画像データファイル名参照用ファイルを前記記憶媒体に保存する保存手段と、
外部機器においてインデックス画像に含まれる画像から前記番号で選択された画像のファイル名を、前記画像データファイル名参照用ファイルを参照して、取得するファイル名取得手段と、
取得したファイル名の画像を取得する画像取得手段とを有することを特徴とする画像通信装置。
【請求項５】
前記生成手段は、所定枚の画像が撮影される毎に、インデックス画像を生成することを特徴とする請求項３に記載の画像通信装置。
【請求項６】
前記生成手段は、サムネイル画像サイズ内に配置できるサイズに所定枚の画像を縮小することを特徴とする請求項３に記載の画像通信装置。
【請求項７】
画像通信装置に装着される記憶媒体に記憶された複数の画像の一つを外部機器から選択するための選択プログラムにおいて、
所定枚数の画像を所定の位置に配置して一枚のインデックス画像を生成し、
前記所定枚数の画像の夫々のファイル名と、前記所定の位置に配置した前記所定枚数の画像の夫々に割り当てられる番号との関連を記載した画像データファイル名参照用ファイルを前記記憶媒体に保存し、
前記外部機器においてインデックス画像に含まれる画像から前記番号で選択された画像のファイル名を、前記画像データファイル名参照用ファイルを参照して、取得し、
取得したファイル名の画像を取得することを特徴とする選択プログラム。
【請求項８】
前記インデックス画像生成ステップは、所定枚の画像が撮影される毎に、インデックス画像を生成することを特徴とする請求項７に記載の選択プログラム。
【請求項９】
前記インデックス画像生成ステップは、サムネイル画像サイズ内に配置できるサイズに所定枚の画像を縮小することを特徴とする請求項７に記載の選択プログラム。
【請求項１０】
請求項７乃至９に記載の選択プログラムを格納したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、画像通信装置に装着される記憶媒体に記憶された複数の画像の一つを外部機器から選択するための選択方法、画像通信装置、選択プログラム、及び、記憶媒体に関する。
【手続補正４】
【補正対象書類名】明細書
【補正対象項目名】００１４
【補正方法】変更
【補正の内容】
【００１４】
本発明は、上述した従来技術の有する問題点を解消するためになされたもので、その目的は、所望の画像を容易に選択することを可能にした複数の画像の一つを選択するための選択方法、画像通信装置、選択プログラム、及び、記憶媒体を提供することである。
【手続補正５】
【補正対象書類名】明細書
【補正対象項目名】００１５
【補正方法】変更
【補正の内容】
【００１５】
【課題を解決するための手段】
上記目的を達成するために本発明の選択方法は、画像通信装置に装着される記憶媒体に記憶された複数の画像の一つを外部機器から選択するための選択方法において、前記画像通信装置は、所定枚数の画像を所定の位置に配置して一枚のインデックス画像を生成し、前記所定枚数の画像の夫々のファイル名と、前記所定の位置に配置した前記所定枚数の画像の夫々に割り当てられる番号との関連を記載した画像データファイル名参照用ファイルを前記記憶媒体に保存し、前記外部機器においてインデックス画像に含まれる画像から前記番号で選択された画像のファイル名を、前記画像データファイル名参照用ファイルを参照して、取得し、取得したファイル名の画像を取得することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
また、上記目的を達成するために本発明の画像通信装置は、複数の画像を記憶する記憶媒体を装着する装着手段と、前記画像通信装置は、所定枚数の画像を所定の位置に配置して一枚のインデックス画像を生成する生成手段と、前記所定枚数の画像の夫々のファイル名と、前記所定の位置に配置した前記所定枚数の画像の夫々に割り当てられる番号との関連を記載した画像データファイル名参照用ファイルを前記記憶媒体に保存する保存手段と、外部機器においてインデックス画像に含まれる画像から前記番号で選択された画像のファイル名を、前記画像データファイル名参照用ファイルを参照して、取得するファイル名取得手段と、取得したファイル名の画像を取得する画像取得手段とを有することを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
また、上記目的を達成するために本発明の選択プログラムは、画像通信装置に装着される記憶媒体に記憶された複数の画像の一つを外部機器から選択するための選択プログラムにおいて、所定枚数の画像を所定の位置に配置して一枚のインデックス画像を生成し、前記所定枚数の画像の夫々のファイル名と、前記所定の位置に配置した前記所定枚数の画像の夫々に割り当てられる番号との関連を記載した画像データファイル名参照用ファイルを前記記憶媒体に保存し、前記外部機器においてインデックス画像に含まれる画像から前記番号で選択された画像のファイル名を、前記画像データファイル名参照用ファイルを参照して、取得し、取得したファイル名の画像を取得することを特徴とする。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
更に、上記目的を達成するために本発明の記憶媒体は、前記選択プログラムを格納したことを特徴とする。